(57)【要約】要約書なし。
2005518319.tif 000002
【特許請求の範囲】
【請求項１】
ロールコアを支持するためのロールコアの開放端にフィッティングするハンドルであって、該ロールコアは該ハンドルに対して回転することができ、
近接末端と末端壁を有する中空ホルダーボディであって、該ホルダーボディは該近接末端から該ホルダーボディの中央部へ伸びる近接部分、および該近接部分から該末端壁へ伸びる遠方部分とに、長さ方向において分割され、該近接部分は該ロールコアの開放端にフィッティングするようにされた外側直径を有し、該ロールコアを回転可能に支持し、該遠方部分は該近接部分よりも小さな外側直径を有し、該ロールコアの内側表面と直接接触することを防止し、該ホルダーボディはさらに、ロールコアが該ホルダーボディに対して滑らかに回転することを可能にする、該近接部分の周囲に長さ方向に提供される複数の並んでいるアーチ状のセグメント側壁を有するホルダーボディ、並びに
該ホルダーボディの近接末端から放射状に、外側に伸びているインデグラルなフランジ、
を有するハンドル。
【請求項２】
該アーチ状のセグメントが該近接末端から該末端壁へ伸び、該遠方部分が内側方向へテーパーを有し、該ロールコアの開放端にスライディングフィットを提供し、該近接部分はテーパーを有さず、該ロールコアの開放端にコンプレッションフィットを提供する、請求項１記載のハンドル。
【請求項３】
該遠方部分がその外側直径を等しく減少させ、指保持部分を形成し、該近接部分と該遠方部分との間に階段状の肩を画定し、それにより該遠方部分の周囲にエアーギャップを画定し、該ロールコアの開放端で支持されたハンドルに対して該ロールコアが回転する間に、該遠方部分が該ロールコアの内側表面と実質的な接触がないようにする、クッション効果を提供する、請求項１記載のハンドル。
【請求項４】
該ハンドルのフランジがインテグラルであり、該ホルダーボディの近接末端の周囲に位置し、外側に伸びている周縁部の壁であり、該フランジが周縁部のスティッフェニングリップと、該スティッフェニングリップから放射状に外側に伸びる複数の空間的に離隔されたインテグラルなコーナーイヤーを提供する、請求項２記載のハンドル。
【請求項５】
該ハンドルのフランジがインテグラルであり、該ホルダーボディの近接末端の周囲に位置し、外側に伸びている周縁部の壁であり、該フランジが周縁部のスティッフェニングリップと、該スティッフェニングリップから放射状に外側に伸びる複数の空間的に離隔されたインテグラルなコーナーイヤーを提供する、請求項３記載のハンドル。
【請求項６】
該コーナーイヤーのそれぞれが、その上に内側へインデントされたインデンションボタンを有し、該コーナーイヤーを補強し、該ロールコアの末端側に対してバイアスし、該ロールコアの滑らかな回転を保証する、請求項４記載のハンドル。
【請求項７】
該コーナーイヤーのそれぞれが、その上に内側へインデントされたインデンションボタンを有し、該コーナーイヤーを補強し、該ロールコアの末端側に対してバイアスし、該ロールコアの滑らかな回転を保証する、請求項５記載のハンドル。
【請求項８】
複数のインデントされたチップが空間的に離れてスティッフェニングリップ上に提供され、該スティッフェニングリップを補強し、該ロールコアの滑らかな回転を保証する、請求項４記載のハンドル。
【請求項９】
複数のインデントされたチップが空間的に離れてスティッフェニングリップ上に提供され、該スティッフェニングリップを補強し、該ロールコアの滑らかな回転を保証する、請求項５記載のハンドル。
【請求項１０】
少なくとも１つのクローノッチが該コーナーイヤーのそれぞれの１つの側に形成され、該ロールコアの回転の間に該ハンドルをしっかりとグリップし、保持することを保証する、請求項６記載のハンドル。
【請求項１１】
少なくとも１つのクローノッチが該コーナーイヤーのそれぞれの１つの側に形成され、該ロールコアの回転の間に該ハンドルをしっかりとグリップし、保持することを保証する、請求項７記載のハンドル。
【請求項１２】
該ホルダーボディがさらに複数の空間的に離れた、軸方向に指向されたスティッフェニングリブであって該ホルダーボディの周囲に長さ方向に形成されたものを有し、該ホルダーボディのコンプレッシブフレキシングを提供し、該スティッフェニングリブが半径方向の内側に可動であり、強いバネの力を生じ、該ロールコアにグリップ力を与える、請求項２記載のハンドル。
【請求項１３】
該ホルダーボディがさらに複数の空間的に離れた、軸方向に指向されたスティッフェニングリブであって該ホルダーボディの周囲に長さ方向に形成されたものを有し、該ホルダーボディのコンプレッシブフレキシングを提供し、該スティッフェニングリブが半径方向の内側に可動であり、強いバネの力を生じ、該ロールコアにグリップ力を与える、請求項１０記載のハンドル。
【請求項１３】
該ホルダーボディがさらに、該ホルダーボディの長さ方向の周囲に形成された複数のスティッフェニングリブを有し、該スティッフェニングリブが空間的に離れて位置し、該複数のアーチ状のセグメントを、ロールコアの中にコンプレッシブコンストレイントに適合され、かかるコンプレッシブコンストレイントから導かれた、弾力を有するローターサポートのグループに分ける、請求項３記載のハンドル。
【請求項１４】
ローターサポートのそれぞれのグループが、連続した波打ち形態に造られた２以上のアーチ状セグメントを含み、アーチ型の滑らかな、丸くなったベアリング表面を提供し、ロールコアが該ハンドルの周囲を滑らかに回転できるようにする、請求項１３記載のハンドル。
【請求項１５】
該スティッフェニングリブのそれぞれが、該アーチ状セグメントの湾曲よりも深い深さを有し、該スティッフェニングリブのそれぞれに隣接したローターサポートのグループに対して、外側へのバネバイアスたわみ効果を提供する、請求項１４記載のハンドル。
【請求項１６】
該ホルダーボディがさらに、該ホルダーボディの長さ方向の周囲に形成された複数のスティッフェニングリブを有し、該スティッフェニングリブが空間的に離れて位置し、該複数のアーチ状のセグメントを、ロールコアの中にコンプレッシブコンストレイントに適合され、かかるコンプレッシブコンストレイントから導かれた、弾力を有するローターサポートのグループに分け、ローターサポートのそれぞれのグループが、連続した波打ち形態に造られた２以上のアーチ状セグメントを含み、アーチ型の滑らかな、丸くなったベアリング表面を提供し、ロールコアが該ハンドルの周囲を滑らかに回転できるようにし、該スティッフェニングリブのそれぞれが、該アーチ状セグメントの湾曲よりも深い深さを有し、該スティッフェニングリブのそれぞれに隣接したローターサポートのグループに対して、外側へのバネバイアスたわみ効果を提供する、請求項１１記載のハンドル。
【請求項１７】
ロールコアを支持するためのロールコアの開放端にフィッティングするハンドルであって、該ロールコアは該ハンドルに対して回転することができ、該ハンドルが、
複数の並んだ側壁アーチ状セグメントと、該ホルダーボディの周囲に長さ方向に形成された複数のスティッフェニングリブとを有する中空ホルダーボディであって、該スティッフェニングリブが空間的に離れて位置し、該複数のアーチ状のセグメントを、ロールコアの中にコンプレッシブコンストレイントに適合され、そのようなコンプレッシブコンストレイントから導かれた、弾力を有するローターサポートのグループに分け、該ロールコアがホルダーボディに対して滑らかに回転できるようにする、中空ホルダーボディ、並びに
該ホルダーボディの近接末端から放射状に、外側に伸びているインデグラルなフランジ、
を有するハンドル。
【請求項１８】
ローターサポートのそれぞれのグループが、連続した波打ち形態に造られた２以上のアーチ状セグメントを含み、アーチ型の滑らかな、丸くなったベアリング表面を提供し、ロールコアが該ハンドルの周囲を滑らかに回転できるようにする、請求項１７記載のハンドル。
【請求項１９】
該スティッフェニングリブのそれぞれが、該アーチ状セグメントの湾曲よりも深い深さを有し、該スティッフェニングリブのそれぞれに隣接したローターサポートのグループに対して、外側へのバネバイアスたわみ効果を提供する、請求項１８記載のハンドル。
【請求項２０】
該ハンドルのフランジがインテグラルであり、該ホルダーボディの近接末端の周囲に位置する、外側に伸びている周縁部の壁であり、該フランジが周縁部のスティッフェニングリップと、該スティッフェニングリップから放射状に外側に伸びる複数の空間的に離隔されたインテグラルなコーナーイヤーを提供する、請求項１９記載のハンドル。
【請求項２１】
該コーナーイヤーのそれぞれが、その上に内側へインデントされたインデンションボタンを有し、該コーナーイヤーを補強し、該ロールコアの末端側に対してバイアスし、該ロールコアの滑らかな回転を保証する、請求項２０記載のハンドル。
【請求項２２】
複数のインデントされたチップが空間的に離れてスティッフェニングリップ上に提供され、該スティッフェニングリップを補強し、該ロールコアの滑らかな回転を保証する、請求項２０記載のハンドル。
【請求項２３】
少なくとも１つのクローノッチが該コーナーイヤーのそれぞれの１つの側に形成され、該ロールコアの回転の間に該ハンドルをしっかりとグリップし、保持することを保証する、請求項２１記載のハンドル。
【請求項２４】
少なくとも１つのシリンダー状ハンドルを有するロールコア支持装置であって、該少なくとも１つのハンドルがおおむね管状の側壁を提供し、該側壁がロールコアをその一端の内側において確保するために外側へのバネバイアスたわみを適用するための複数の並んだアーチ状セグメントを含み、該側壁が該側壁を分けることのできる軸方向に向いたシームを提供する、装置。
【請求項２５】
軸方向に向いたシームをシールする手段をさらに有する、請求項２０記載の装置。
【発明の詳細な説明】
【技術分野】
【０００１】
本発明はロールコアホルダーに関し、より詳細にはフィルムディスペンシングロールの開放端内に挿入されるために適合した使い捨てのハンドルに関する。
【背景技術】
【０００２】
ロールコアは圧縮ペーパーストックまたはプラスチックで作られる。これはプラスチック、金属、紙シートをロールに巻き上げるために使用される。これらのシート材料はついでロールから供給される。この種のロールはコアチャック（ｃｏｒｅ  ｃｈｕｃｋ）または類似の道具上に支持され、巻かれた物品はコアチャック上のコアを回転させることによりロールコアから引き出される。これは手動または機械操作であることができる。ある場合には、巻かれた物品は単にロールコアを支持し、巻かれたシート状物品をロールコアから引っ張ることにより供給される。コアを持っている手の中でロールがスリップするので、これは難しく、熱くなってしまう。
【０００３】
以下の文献は手動による支持が供給工程でコアを使用して行うことができることを教示しており、これが当該技術分野における現状である。
【０００４】
Ｐａｒｒｙの米国特許第４１７９０８１号は、単位として包装され確保された物質または品目、または出荷および移動手段へ包装および確保された、プラスチックの伸縮性フィルムの手動による使用のための改良された装置を開示する。この装置はプラスチックの伸縮性フィルムを供給するための伸ばされたコア、および該伸ばされたコアのための一対の管状のグリップ手段からなる。該グリップ手段はプラスチックの伸縮性フィルムの引き出しのスピードの手動の調節手段として作用し、また物質または品目に適用する間、フィルムに張力を適用するための手動の手段として作用する。
【０００５】
Ｐａｒｒｙの米国特許第４２４８３９２号は、単位として包装され確保された物質または品目、または出荷および移動手段へ包装および確保された、プラスチックの伸縮性フィルムの使用のための改良された装置を開示する。この装置は、プラスチックの伸縮性フィルムを保持するシリンダー状のコアの端への一対の挿入可能なアダプター、および一対の該挿入可能なアダプターのための管状のグリップ手段からなる。このグリップ手段はプラスチックの伸縮性フィルムの引き出しのスピードの手動の調節手段として作用し、また物質または品目に適用する間、フィルムに張力を適用するための手動の手段として作用する。この装置はフィルムの材料への手動または機械による適用に使用することができる。グリップ手段と同等なブレーキシューを機械による適用では使用することができる。
【０００６】
Ｐａｒｒｙの米国特許第４７２２２４９３号は、シリンダー状のボディ、およびボディに回転可能に支持された軸を含むロールからの伸縮性フィルムの供給のためのホルダーを開示する。内部のリブを有する柔軟なグリップがボディと軸を覆い、グリップに手の力を加えることにより、軸の回転にブレーキをかけ、それによりフィルムの張力を調節することができる。
【０００７】
Ｈｕｍｍｅｌらの米国特許第４６００１６３号は、ロールに巻かれた柔軟性物質を引き出すための制御された手動の装置を開示する。これは人間の指により直接回転可能に手で支持するには適当ではない。
【０００８】
Ｓａｒａｉｓｋｙの米国特許第４３７２５００号は、ウェブ供給手段の使用のためのインサートを開示するが、これは以下の欠点を有していた。
（ａ）  インサートは、ロールコアの端の開口部のそれぞれに回転可能に挿入するのにぴったりな直径を有していなければならない。ロールコアの端の開口部の内径がインサートの外径よりも若干小さいだけでも、インサートをロールコアの２つの端にと取りつけることはできない。
（ｂ）  文献の図６に示されたように、インサートがテーパーを有する形態に作られ、それらが他方の内部に一方がはまり、種種の内径を有するロールコアを挿入するのに適するようにすると、インサートはロールコアの末端開口部にはまり、使用者がウエブロールを支持しながら内側に強く押しすぎると、インサートに対するウエブロールの回転を妨害してしまう。この瞬間、重いウエブロールとインサートは、支持している使用者の手に対して回転し、使用者の指を加熱し、損傷する。
（ｃ）理論的にいえば、使用者は２つのインサートのそれぞれの２つの中空キャビティー内に使用者の指を挿入することにより、インサートを手で支持する。しかし、文献の図５に示されたような、インサートの周囲に空間的に、長さ方向に位置する１４ｂ−１から１４ｂ−３の３つのうねりが若干外側に突き出しているので、インサートの壁はロールコアの内側表面と接触してしまう。特に使用者の指がインサートの壁に対して外側に押されると、インサートとロールコアの間の摩擦により、使用者の指を熱くしてしまう。
【０００９】
上記の観点から、従来の技術はロールコアホルダーを開示してはいるが、ロールコア内のどちらかの端で、圧縮弾性物質バイアスによって保持された比較的薄いシリンダー状のハンドルは開示していない。さらにロールコアホルダーがハンドルとして使用され、ロールがホルダー内に挿入された使用者の指により直接指示されている場合、ホルダーの管状の壁とロールコアの内側表面との直接的摩擦接触により使用者の指が熱くなることを防止する方法を従来技術は示唆していない。本発明はこれらの要求を満足し、以下に記載する効果を奏するものである。
【発明の開示】
【課題を解決するための手段】
【００１０】
本発明は以下の目的を達成する構造および使用を開示する。
本発明の主な目的は、前記の公知文献には開示されていなかった効果を奏する、ロールコア用の使い捨てハンドルを提供する。
本発明の他の目的は、使用後に捨てることができる、製造コストの非常に安価で効果のあるロールコア用ハンドルを提供することである。
本発明の他の目的は低いコストで製造することのできる使い捨てのロールコア用ハンドルを提供することである。
本発明の他の目的は、ロールコア内に押し込むことができ、ロールコアが回転する間に支持を提供することのできる、使い捨てのロールコア用ハンドルを提供することである。
本発明の他の目的は、平坦な片から作ることができ、使用者がハンドルとして使用するために管状物に巻くことができ、手でフィルムロールを直接支持できる使い捨てのロールコア用ハンドルを提供することである。
本発明の他の目的は、一対の使い捨てのロールコア用ハンドルであって、ロールコアとハンドルとのより滑らかな回転を提供し、それらの間で生ずる摩擦および熱がほとんどないものを提供することである。
本発明の他の目的は、使い捨てのロールコア用ハンドルであって、ロールコアの内側表面と実質的な接触を有し、使用者の指をその上に支持するための内側の指保持部分を提供することにより、使用者の他および指に熱が直接伝わることを防ぐ構造のものを提供することである。
【００１１】
本発明の他の目的は、使い捨てのロールコア用ハンドルであって、ホルダーボディがバネ効果を有するように取り付けられ、フィルムロールの回転の間に生ずる圧力と振動を吸収し、一対の使い捨てハンドルを通してロールコアを保持する使用者の手の指の望まれないけがを避けるものを提供する。
本発明の他の目的は、使い捨てのロールコア用ハンドルであって、たとえば２．９８９インチから３．０６０インチまでの、種種の内径のロールコアにはめることのできるものを提供することである。
本発明の他の目的は、使い捨てのロールコア用ハンドルであって、フィルムロールの回転を妨害することがある、ハンドルのフランジがフィルムロールのそれぞれの端の側面をこすったりひっかいたりすることを防止するものを提供することである。
本発明の他の目的は、使い捨てのロールコア用ハンドルであって、フランジおよびホルダーボディの両方に補強アレンジメントを含み、できるだけ製造コストを低下させるためにハンドルの厚さを最低限にしたものを提供することである。
【００１２】
上記の目的を達成するために、本発明は商業製品のコストを引き上げることなく、出荷されるロール製品との一対の低コストハンドルを提供する。
本発明は、単一または一対の使い捨てのハンドルを提供する。短い長さのロールコアについては、単一のハンドルを使用することができる。長いロールコアについては、一対のハンドルが必要である。それぞれのハンドルは管状の側壁を有するホルダーボディを有し、これはホルダーボディの周囲に空間的に離隔し、長さ方向に配置された複数の側壁アーチ状セグメント（ａｒｃｕａｔｅ  ｓｅｇｍｅｎｔ）と、２つのアーチ状セグメントの間に長さ方向に、内側に伸びた複数のスティッフェニングリブ（ｓｔｉｆｆｅｎｉｎｇ  ｒｉｂ）を有する。ホルダーボディはロールコアの末端に挿入された際にコンプレッシブコンストレイント（ｃｏｍｐｒｅｓｓｉｖｅ  ｃｏｎｓｔｒａｉｎｔ）に適用され、ロールコアを内部からしっかりと保持するための、外側へのバネバイアスたわみ（ｓｐｒｉｎｇ  ｂｉａｓ  ｄｅｆｌｅｃｔｉｏｎ）を提供する。２つのハンドルは、ついでそれぞれロールコアの２つの端に配置される。アーチ状セグメントは軸方向に向けられるか、または円周方向に向けることができる。空間的に離隔し、軸方向に向けられたハンドルのホルダーボディ上に提供されたスティッフェニングリブは、ロールコアとともにハンドルが回転することを防止するために、指の力を加えるために使用される。
ロールコアは１つまたは２つのハンドルで支持され、フィルムロールが静止したハンドルの周りを回転する際に、フィルムロールからフィルムが供給されるようにする。
本発明の他の態様と効果は、本発明の原理を実施態様として示す、以下の詳細な説明、および図から明らかになる。
【００１３】
図面の簡単な説明
添付された図は本発明を示すものである。
図１は、本発明の好ましい態様のロールコア用の使い捨てハンドルの透視図である。
図２は、本発明の上記の好ましい態様の使い捨てハンドルの端面図である。
図３は、本発明の上記の好ましい態様の第一の異なるモードにおける、ロールコア用の使い捨てハンドルの端面図である。
図４および図５は、それぞれ四角および丸型のフランジを有する、本発明の上記の好ましい態様の第二および第三の異なるモードにおける、ロールコア用の使い捨てハンドルの端面図である。
図６は、本発明の上記の好ましい態様の第四の異なるモードにおける、展開された使い捨てハンドルの透視図である。
図７は、図６に示された使い捨てハンドルの端面図であり、使い捨てハンドルがシーム固定具によりシリンダーボディに巻かれたものの端面図である。
図８は、ホルダーボディの側壁を円周方向に取り囲むものを有する、本発明の第五の好ましい態様における、ロールコア用の使い捨てハンドルの透視図である。
図９は一端に図８に示された使い捨てハンドルが挿入された製品のロールの透視図である。
図１０は、本発明の上記の好ましい実施態様におけるロールコアを支持している際の使い捨てハンドルの断面図である。
図１１は、本発明の上記の好ましい態様の第六の異なるモードにおける、ロールコア用の使い捨てハンドルの透視図である。
図１２は、本発明の上記の好ましい態様の上記の第六の異なるモードにおける、ロールコアを支持している際の使い捨てハンドルの断面図である。
図１３は、本発明の上記の好ましい態様の上記の第六の異なるモードにおける、ロールコアを支持している際の使い捨てハンドルの端面図である。
【００１４】
発明を実施するためのベストモード
上記の図は、本発明の好ましい態様、およびそのいくつかの異なるモードを示すものであり、それは以下の記載によりさらに詳細に示される。
ロールコア５０（本発明の部分ではない）は１つまたは一対のシリンダー状ハンドル１０で支持され、これは好ましくは肉厚の薄いプラスチックで作られる。そのようなロールコアは紙またはプラスチックで作られ、開放端を有する単純な管である。ハンドル１０は射出成形、真空成形、またはスピン成形で作ることができる。それぞれのハンドル１０はインテグラルであり、一体部品であり、中空ホルダーボディ２０を提供し、これはおおむね円状の側壁であり、その上に形成された、並んだ複数の側壁アーチ状セグメント２２を有し、ロールコア５０内にコンプレッシブコンストレイントに適用され、該コンプレッシブコンストレイントから外側へのバネバイアスたわみを導き、これはロールコア５０をその端の１つの内部からしっかりと確保するために使用される。圧縮状態において、アーチ状セグメント２２のそれぞれは曲げられ、アークの小さな湾曲を形成し、それによりホルダーボディ２０の全体の外径を減少させる。２つのハンドル１０はそれぞれロールコア５０の２つの末端内に配置され、ロールコア５０が、ロールコア５０にすでに巻かれているフィルムを引き出すために回転する際に、使用者が両手を用いて握り、ロールコア５０を支持できる。これは図９に最もよく示される。アーチ状セグメント２２は図７に示されるように軸方向に向くことができ、または図８に示されるように円周方向に向いていてもよい。ホルダーボディ２０はさらに複数の空間的に離隔された、軸方向に向いたスティッフェニングリブ４２を有する。
【００１５】
好ましくは、ハンドル１０はさらにインテグラルな、外側に向いたフランジ３０であって、ホルダーボディ２０の近接末端に位置し、好ましくは周縁部のスティッフェニングリップ（ｓｔｉｆｆｅｎｉｎｇ  ｌｉｐ）３２を提供する。このフランジ３０は好ましくは複数の、インテグラルな、空間的に離隔された、コーナーイヤー３４を有し、これは図１ないし３に明確に示されるように、放射状に、外側に伸びている。好ましくは、インテグラルな末端壁（ｉｎｔｅｇｒａｌ  ｅｎｄ  ｗａｌｌ）４０が、ホルダーボディ２０の遠方末端に位置し、完全に閉鎖される（図４）か、または指が通る開口部を有してもよい（図５）。展開されたホルダーボディ２０は図６に示される。このシームは好ましくは、シーム２４をシールする手段２６、たとえば、図６に示されるように、エンボスされたディンプル２８’および対応する表面デプレッション２８’’などを伴う。ホルダーボディ２０が図７のように巻かれた際には、エンボスされたディンプル２８’は表面デプレッション２８’’中に押し込まれ、シーム２４を確保ないし固定する。
【００１６】
好ましくはホルダーボディ２０の近接部分（ｐｒｏｘｉｍａｌ  ｐｏｒｔｉｏｎ）２１は、概してテーパーを有しないが、ホルダーボディ２０の遠方部分（ｄｉｓｔａｌ  ｐｏｒｔｉｏｎ）２３は内側にテーパーを有する。テーパーを有する遠方部分２３は、ロールコア５０内にスライディングフィット（ｓｌｉｄｉｎｇ  ｆｉｔ）を提供するような寸法にされ、テーパーを有しない近接部分２１はロールコア５０内にコンプレッションフィットを提供する。これを示すために、ある種の標準的なコアロールの内径は、正確に３インチである。これに対応する、ホルダーボディ２０は長さ約３インチである。ホルダーボディ２０の近接部分２１は、好ましくはフランジから軸方向に約１．５インチの距離で測定した直径は３と１／１６インチから３と１／６４インチの間であり、１．５インチより遠方部分については、２と３／４インチまで均一にテーパーされる。他の寸法は、図１から１０に示されるように、ハンドルがロールコア内に容易に滑り込み、その中に確保されることができるようにされる。
【００１７】
図８に示すように、本発明のデバイスは前述のように円周方向に向いたアーチ型リブ２２を有するホルダーボディ２０を主として含む。このモードにおいては、フランジ３０は複数の小さなタブ３２を有する。ロールコア５０内に挿入された際のホルダーボディ２０の圧縮曲げは、スティッフェニングリブ４２が半径方向の内側に動くときに主として達成される。これはロールコア５２の内面から保持力を与える強いバネ力を引き起こす。
図１１から１３を参照すると、本発明の上記の好ましい実施態様の第六の実施態様による、ロールコア５０のための使い捨てハンドル１０’が示され、ここでハンドル１０’は中空ホルダーボディ２０’および、ホルダーボディ２０’の近接末端から半径方向外側へインテグラルに伸びるフランジ３０を含む。
【００１８】
同様に、ホルダーボディ２０’は射出成形、真空成形、またはスピン成形で作られたおおむね管状の側壁である。中空ホルダーボディ２０’は、近接末端から遠方末端へと伸びるハンドルチャンバー２００’を画定し、さらに複数の並んだアーチ状セグメント側壁２２’、およびホルダーボディ２０’の長さ方向の周囲に形成された複数のスティッフェニングリブ４２’を有し、ここでスティッフェニングリブ４２’は空間的に離隔して配置され、複数のアーチ状セグメント２２’をロールコア５０内にコンプレッシブコンストレイントに適用され、かかるコンプレッシブコンストレイントから導かれた、弾力のあるローターサポート２２０’の複数のグループに分ける。
【００１９】
好ましい実施態様によれば、合計６つのスティッフェニングリブ４２’があり、これが１８個のアーチ状セグメント２２’を、等しく空間的に離れ、それぞれが好ましくは３つのアーチ状セグメント２２’を含む、６つの ローターサポート群２２０’にわける。図１３に示すように、６つのローターサポート群２２０’はロールコア５０の内側表面の８０％以上と実質的に接触し、バランスのとれた状態でロールコア５０を良好に支持する。ローターサポート２２０’のそれぞれのグループの３つのアーチ状セグメント２２’は、連続した波状形態で形成され、図１１および１３に示されるように、３つのアーク形状の滑らかで、丸くなったベアリング表面を提供することが強調されるべきである。図１２および１３に示されるように、ハンドル１０’のホルダーボディ２０’がロールコア５０の開放端内にフィットしたとき、アーチ状セグメント２２’のこれらのベアリング表面は、ロールコア５０の内側表面に対して摩擦のない滑らかな接触を提供するポールベアリングのように作用しつつ、アーチ状セグメント２２’の１８個の直線的な接触を介して、実質的にロールコア５０を良好に支持し、ロールコア５０がハンドル１０’の周りを滑らかに回転することを可能にする。
【００２０】
それぞれのスティッフェニングリブ４２’の深さはすべてのアーチ状セグメント２２’の湾曲よりも深くなければならないことは銘記されるべきである。そのような配置は、それぞれのスティッフェニングリブ４２’に、隣接したローターサポート２２０’に対する外側へのバネバイアスたわみ効果を提供させる。そのようなバネバイアスたわみ効果は、特定のスティッフェニングリブ４２’の両側に位置するローターサポート２２０’の２つのグループを、２つのローターサポート２２０’の間の距離を減少させるように一緒に動くことを可能とし、ホルダーボディ２０’の外径を実質的に減少させ、２．９８９インチから３．０６０インチの間の種種のサイズのロールコア５０にフィットするようにする。ハンドル１０’のホルダーボディ２０’が ロールコア５０の開放端にフィットされた後、スティッフェニングリブ４２’のバネバイアスたわみ効果は、またローターサポート２２０’を互いに離れるように動かし、その一端の内側からロールコア５０をグリップするための若干のグリッピング効果を奏する。さらに、圧縮においては、それぞれのアーチ状セグメント２２はさらに曲がり、より小さなアークの湾曲を生じ、それによりホルダーボディ２０の全体としての外径を小さくする。
【００２１】
さらに、本発明のホルダーボディ２０’のバネバイアスたわみ効果は、さらに以下のような予想外の効果を奏する。
（ｉ）  アーチ状セグメント２２’と、スティッフェニング４２’の波打った構造は、ホルダーボディ２０’を半径方向に構造的に強化し、比較的厚さの薄い材料を使用しつつ、ロールコア５０により強い半径方向の支持を提供し、最低限の製造コストを提供し、使用者が使用後にハンドル１０’を廃棄できるようにした。
（ｉｉ）両端で支持されたハンドル１０’に対するロールコア５０の回転の際に生じる振動が、ホルダーボディ２０’のバネバイアスたわみ効果のために吸収され、使用者の手への振動の伝播が防止される。
（ｉｉｉ）バネバイアスたわみ効果はまた、ホルダーボディ２０’にロールコア５０からの圧力を吸収させ、特にロールコア５０の回転の間に吸収させ、使用者の手の関節部の、望ましくない損傷を防止する。
【００２２】
使用者がフィルムを引っ張り、フィルムロール５１を回転するるときに、不均一な引っ張り力がロールコア５０を、使用者の手に対して、上下または左右に振動させることについても説明の要がある。ロールコア５０の振動力は、それぞれのローターサポート２２０’が互いに動くことにより、バネバイアスたわみ効果により実質的に吸収され、使用者の手にほとんど振動や衝撃が伝わらない。
【００２３】
上記の好ましい実施態様および第一から第五の実施態様のように、ホルダーボディ２０’は、フランジ３０’からホルダーボディ２０’の中央部分へと長さ方向に伸びる近接部分２１’と、近接部分２１’からホルダーボディ２０’の末端壁４０’へと長さ方向に伸び、支持部分を形成する遠方部分２３’とを有する。近接した支持部分２１’は一般にテーパーを有さず、アーチ状セグメント２２’はホルダーボディ２０’の軸と平行に長さ方向に伸び、図１０，１２および１３に示すように、ホルダーボディ２０’のローターサポート２２０’のアーチ状セグメント２２’のベアリング表面は、ロールコア５０の内側表面と滑らかな線接触をし、滑らかな回転と、周囲全体の均一な良好な支持を提供する。
【００２４】
同様に、テーパーを有しない近接部分２１’は、ロールコア５０内にコンプレッションフィットを提供する。たとえば、ある標準的なコアロールの内径が正確に３インチだとする。対応してホルダーボディ２０’はほぼ長さ３インチである。ホルダーボディ２０’の近接部分２１’は、軸方向にフランジ３０’から１．５インチまでの距離での測定された直径が、好ましくは若干大きく、たとえば３と１／１６インチないし３と１／６４の間で作られる。
別法として、図１０に示されたようなテーパーを有する遠方部分２３を有する代わりに、好ましい実施態様の第六の異なるモードの遠方部分２３’のその外径が等しく減少し、指支持部分および遠方の指支持部分２３’を形成する。たとえば、１．５インチの長さを有する遠方部分２３’は、好ましくは２と３／４インチの均一な外径を有する。
【００２５】
したがって、遠方の指ホルダー部分２３’はロールコア５０の直径よりも小さな内径を有し、円周のエアーギャップが遠方の指ホルダー部分２３’の周囲に画定され、クッション効果を奏し、図１２に示されるように、ロールコア５０がその両端で支持されたハンドル１０’に対して回転する間、遠方部分２３’がロールコア５０の内側表面と実質的な接触を有さないようにする。そのため、使用者の指先はホルダーボディ２０’の内側の遠方の指支持部分２３’におくことができ、手がハンドル１０’とロールコア５０を支持する際に、使用者の指への熱伝導を防止し、したがって指が熱くなることを防止する。さらに、遠方の指ホルダー部分２３’は使用者の指の強さのバランスを取り、ホルダーボディ２０’が均一に押され、支持されることができる。
【００２６】
図１１ないし１３に示すように、ハンドル１０’のフランジ３０’は、インテグラルであり、ホルダーボディ２０’の近接末端の周囲に位置する、外側に伸びた周縁部の壁である。フランジは好ましくは周縁部のスティッフェニングリップ３２’と複数の空間的に離隔されたインテグラルなコーナーイヤー３４’を提供し、これは図１１および１３に示されたように、スティッフェニングリップ３２の４つの角から半径方向に外側に伸びている。インテグラルな末端壁４０もホルダーボディ２０の遠方末端に位置する。
【００２７】
上記の実施態様およびその異なるモードと同様に、それぞれのコーナーイヤー３４’は、コーナーイヤー３４’を強化するためにその上に内側に突き出したインデンションボタン（ｉｎｄｅｎｔｉｏｎ  ｂｕｔｔｏｎ）３４１’を有する。 さらに、そのようなインデンションボタンがフィルムロール５１および／またはロールコア５０の末端面に対してバイアスである場合、ホルダーボディ２０’がロールコア５０の開放端内に入り込みすぎることを防止し、ロールコア５０の滑らかな回転を保証し、ロールコア５０の回転を阻止することがあるスティッフェニングリップ３２’のフィルムロール５１とのかみ合いを防止する。
【００２８】
スティッフェニング３２’の上に、複数のインデンティドチップ３２１’が、離れて配置され、それはスティッフェニングリップ３２’を強化するだけではなく、ロールコア５０に対しておおむねバイアスに配置され、ロールコア５０のハンドル１０’に対する滑らかな回転を保証し、ホルダーボディ２０’がロールコア５０の開放端内に過剰に挿入されることを防止する。
【００２９】
２つのクローノッチ３４２’は、それぞれのコーナーイヤー３４’の両側に形成され、使用者がロールコア５０を回転可能に支持するためにハンドルを手で支持する場合、使用者の親指がそれぞれのクローノッチ３４２’の上に置かれ、ハンドル１０’を、ロールコア５０に対して回転させる際にしっかりと握り、保持することを保証する。
【００３０】
上記の観点から、ハンドル１０、１０’はスピニングまたはロールコア５０を指との接触がなく保持することを可能とし、摩擦による過熱を防止することができる。スティッフェニングリブ４２および４２’のアーチ状セグメント２２，２２’の間の配置により、アーチ状セグメント２２，２２’はバネのような動作を提供し、手に他の方法で伝わる振動力を吸収する。本発明の構造において使用される低摩擦材料は、ロールコア５０を回転する際に滑らすことを可能とし、さらにロールコア５０をしっかりと保持することも可能とする。
【００３１】
本発明は好ましくは重量が軽く、そのためハンドル１０、１０’を使用しても合計重量はあまり変化しない。ハンドル１０のホルダーボディ２０、２０’は約０．０５０インチ以下の厚さである。ハンドル１０，１０’のコストは小さく、使用後に廃棄することができ、そのためハンドル１０は使い捨てのハンドルである。フランジはロールコア５０に対してブレーキとして使用することができ、また指を加熱から保護する。  
【００３２】
本発明を好ましい実施態様を参照しつつ説明してきたが、当業者には、本発明がそれらに限定されるものではないことは明らかであろう。本発明の範囲は特許請求の範囲の記載に基づいて理解されるべきものである。
【図面の簡単な説明】
【００３３】
【図１】図１は、本発明の好ましい態様のロールコア用の使い捨てハンドルの透視図である。
【図２】図２は、本発明の好ましい態様の使い捨てハンドルの端面図である。
【図３】図３は、本発明の上記の好ましい態様の第一の異なるモードにおける、ロールコア用の使い捨てハンドルの端面図である。
【図４】図４は四角のフランジを有する、本発明の上記の好ましい態様における、ロールコア用の使い捨てハンドルの端面図である。
【図５】図５は、丸型のフランジを有する、本発明の上記の好ましい態様における、ロールコア用の使い捨てハンドルの端面図である。
【図６】図６は、本発明の上記の好ましい態様の、展開された使い捨てハンドルの透視図である。
【図７】図７は、図６に示された使い捨てハンドルの端面図である。
【図８】図８は、本発明の第五の好ましい態様における、ロールコア用の使い捨てハンドルの透視図である。
【図９】図９は一端に図８に示された使い捨てハンドルが挿入された製品のロールの透視図である。
【図１０】図１０は、本発明の上記の好ましい実施態様におけるロールコアを支持している際の使い捨てハンドルの断面図である。
【図１１】図１１は、本発明の上記の好ましい態様の第六の異なるモードにおける、ロールコア用の使い捨てハンドルの透視図である。
【図１２】図１２は、本発明の上記の好ましい態様の上記の第六の異なるモードにおける、ロールコアを支持している際の使い捨てハンドルの断面図である。
【図１３】図１３は、本発明の上記の好ましい態様の上記の第六の異なるモードにおける、ロールコアを支持している際の使い捨てハンドルの端面図である。
【図１】
2005518319.tif 000003
【図２】
2005518319.tif 000004
【図３】
2005518319.tif 000005
【図４】
2005518319.tif 000006
【図５】
2005518319.tif 000007
【図６】
2005518319.tif 000008
【図７】
2005518319.tif 000009
【図８】
2005518319.tif 000010
【図９】
2005518319.tif 000011
【図１０】
2005518319.tif 000012
【図１１】
2005518319.tif 000013
【図１２】
2005518319.tif 000014
【図１３】
2005518319.tif 000015
【手続補正書】
【提出日】平成16年8月2日(2004.8.2)
【手続補正１】
【補正対象書類名】特許請求の範囲
【補正対象項目名】全文
【補正方法】変更
【補正の内容】
【特許請求の範囲】
【請求項１】
ロールコアを支持するためのロールコアの開放端にフィッティングするハンドルであって、該ロールコアは該ハンドルに対して回転することができ、
近接末端と末端壁を有する中空ホルダーボディであって、該ホルダーボディは該近接末端から該ホルダーボディの中央部へ伸びる近接部分、および該近接部分から該末端壁へ伸びる遠方部分とに、長さ方向において分割され、該近接部分は該ロールコアの開放端にフィッティングするようにされた外側直径を有し、該ロールコアを回転可能に支持し、該遠方部分は該近接部分よりも小さな外側直径を有し、該ロールコアの内側表面と直接接触することを防止し、該ホルダーボディはさらに、ロールコアが該ホルダーボディに対して滑らかに回転することを可能にする、該近接部分の周囲に長さ方向に提供される複数の並んでいるアーチ状のセグメント側壁を有するホルダーボディ、並びに
該ホルダーボディの近接末端から放射状に、外側に伸びているインデグラルなフランジ、
を有するハンドル。
【請求項２】
該アーチ状のセグメントが該近接末端から該末端壁へ伸び、該遠方部分が内側部分へとテーパーを有し、該ロールコアの開放端にスライディングフィットを提供し、該遠方部分はテーパーを有さず、該ロールコアの開放端にコンプレッションフィットを提供する、請求項１記載のハンドル。
【請求項３】
該遠方部分がその外側直径を等しく減少させ、指保持部分を形成し、該近接部分と該遠方部分との間に階段状の肩を画定し、それにより該遠方部分の周囲にエアーギャップを画定し、該ロールコアの開放端で支持されたハンドルに対して該ロールコアが回転する間に、該遠方部分が該ロールコアの内側表面と実質的な接触がないようにする、クッション効果を提供する、請求項１記載のハンドル。
【請求項４】
該ハンドルのフランジがインテグラルであり、該ホルダーボディの近接末端の周囲に位置し、外側に伸びている周縁部の壁であり、該フランジが周縁部のスティッフェニングリップと、該スティッフェニングリップから放射状に外側に伸びる複数の空間的に離隔されたインテグラルなコーナーイヤーを提供する、請求項２記載のハンドル。
【請求項５】
該ハンドルのフランジがインテグラルであり、該ホルダーボディの近接末端の周囲に位置し、外側に伸びている周縁部の壁であり、該フランジが周縁部のスティッフェニングリップと、該スティッフェニングリップから放射状に外側に伸びる複数の空間的に離隔されたインテグラルなコーナーイヤーを提供する、請求項３記載のハンドル。
【請求項６】
該コーナーイヤーのそれぞれが、その上に内側へインデントされたインデンションボタンを有し、該コーナーイヤーを補強し、該ロールコアの末端側に対してバイアスし、該ロールコアの滑らかな回転を保証する、請求項４記載のハンドル。
【請求項７】
複数のインデントされたチップが空間的に離れてスティッフェニングリップ上に提供され、該スティッフェニングリップを補強し、該ロールコアの滑らかな回転を保証する、請求項４記載のハンドル。
【請求項８】
少なくとも１つのクローノッチが該コーナーイヤーのそれぞれの１つの側に形成され、該ロールコアの回転の間に該ハンドルをしっかりとグリップし、保持することを保証する、請求項６記載のハンドル。
【請求項９】
該ホルダーボディがさらに複数の空間的に離れた、軸方向に指向されたスティッフェニングリブであって該ホルダーボディの周囲に長さ方向に形成されたものを有し、該ホルダーボディのコンプレッシブフレキシングを提供し、該スティッフェニングリブが半径方向の内側に可動であり、強いバネの力を生じ、該ロールコアにグリップ力を与える、請求項２記載のハンドル。
【請求項１０】
該ホルダーボディがさらに複数の空間的に離れた、軸方向に指向されたスティッフェニングリブであって該ホルダーボディの周囲に長さ方向に形成されたものを有し、該ホルダーボディのコンプレッシブフレキシングを提供し、該スティッフェニングリブが半径方向の内側に可動であり、強いバネの力を生じ、該ロールコアにグリップ力を与える、請求項７記載のハンドル。
【請求項１１】
ローターサポートのそれぞれのグループが、連続した波打ち形態に造られた２以上のアーチ状セグメントを含み、アーチ型の滑らかな、丸くなったベアリング表面を提供し、ロールコアが該ハンドルの周囲を滑らかに回転できるようにする、請求項１１記載のハンドル。
【請求項１２】
該スティッフェニングリブのそれぞれが、該アーチ状セグメントの湾曲よりも深い深さを有し、該スティッフェニングリブのそれぞれに隣接したローターサポートのグループに対して、外側へのバネバイアスたわみ効果を提供する、請求項１１記載のハンドル。
【請求項１３】
ロールコアを支持するためのロールコアの開放端にフィッティングするハンドルであって、該ロールコアは該ハンドルに対して回転することができ、該ハンドルが、
複数の並んだ側壁アーチ状セグメントと、該ホルダーボディの周囲に長さ方向に形成された複数のスティッフェニングリブとを有する中空ホルダーボディであって、該スティッフェニングリブが空間的に離れて位置し、該複数のアーチ状のセグメントを、ロールコアの中にコンプレッシブコンストレイントに適合され、そのようなコンプレッシブコンストレイントから導かれた、弾力を有するローターサポートのグループに分け、該ロールコアがホルダーボディに対して滑らかに回転できるようにする、中空ホルダーボディ、並びに
該ホルダーボディの近接末端から放射状に、外側に伸びているインデグラルなフランジ、
を有するハンドル。
【請求項１４】
おおむね管状の側壁を提供する少なくとも１つのシリンダー状ハンドルであって、該側壁がロールコアをその一端の内側において確保するために外側へのバネバイアスたわみを適用するための複数の並んだアーチ状セグメントを含み、該側壁が該側壁を分けることのできる軸方向に向いたシームを提供するハンドル、および
軸方向に向いたシームをシールする手段、を有する装置。
【手続補正書】
【提出日】平成16年8月2日(2004.8.2)
【手続補正１】
【補正対象書類名】明細書
【補正対象項目名】全文
【補正方法】変更
【補正の内容】
【書類名】  明細書
【技術分野】
【０００１】
本発明はロールコアホルダーに関し、より詳細にはフィルムディスペンシングロールの開放端内に挿入されるために適合した使い捨てのハンドルに関する。
【背景技術】
【０００２】
ロールコアは圧縮ペーパーストックまたはプラスチックで作られる。これはプラスチック、金属、紙シートをロールに巻き上げるために使用される。これらのシート材料はついでロールから供給される。この種のロールはコアチャック（ｃｏｒｅ  ｃｈｕｃｋ）または類似の道具上に支持され、巻かれた物品はコアチャック上のコアを回転させることによりロールコアから引き出される。これは手動または機械操作であることができる。ある場合には、巻かれた物品は単にロールコアを支持し、巻かれたシート状物品をロールコアから引っ張ることにより供給される。コアを持っている手の中でロールがスリップするので、これは難しく、熱くなってしまう。
【０００３】
以下の文献は手動による支持が供給工程でコアを使用して行うことができることを教示しており、これが当該技術分野における現状である。
【０００４】
Ｐａｒｒｙの米国特許第４１７９０８１号は、単位として包装され確保された物質または品目、または出荷および移動手段へ包装および確保された、プラスチックの伸縮性フィルムの手動による使用のための改良された装置を開示する。この装置はプラスチックの伸縮性フィルムを供給するための伸ばされたコア、および該伸ばされたコアのための一対の管状のグリップ手段からなる。該グリップ手段はプラスチックの伸縮性フィルムの引き出しのスピードの手動の調節手段として作用し、また物質または品目に適用する間、フィルムに張力を適用するための手動の手段として作用する。
【０００５】
Ｐａｒｒｙの米国特許第４２４８３９２号は、単位として包装され確保された物質または品目、または出荷および移動手段へ包装および確保された、プラスチックの伸縮性フィルムの使用のための改良された装置を開示する。この装置は、プラスチックの伸縮性フィルムを保持するシリンダー状のコアの端への一対の挿入可能なアダプター、および一対の該挿入可能なアダプターのための管状のグリップ手段からなる。このグリップ手段はプラスチックの伸縮性フィルムの引き出しのスピードの手動の調節手段として作用し、また物質または品目に適用する間、フィルムに張力を適用するための手動の手段として作用する。この装置はフィルムの材料への手動または機械による適用に使用することができる。グリップ手段と同等なブレーキシューを機械による適用では使用することができる。
【０００６】
Ｐａｒｒｙの米国特許第４７２２２４９３号は、シリンダー状のボディ、およびボディに回転可能に支持された軸を含むロールからの伸縮性フィルムの供給のためのホルダーを開示する。内部のリブを有する柔軟なグリップがボディと軸を覆い、グリップに手の力を加えることにより、軸の回転にブレーキをかけ、それによりフィルムの張力を調節することができる。
【０００７】
Ｈｕｍｍｅｌらの米国特許第４６００１６３号は、ロールに巻かれた柔軟性物質を引き出すための制御された手動の装置を開示する。これは人間の指により直接回転可能に手で支持するには適当ではない。
【０００８】
Ｓａｒａｉｓｋｙの米国特許第４３７２５００号は、ウェブ供給手段の使用のためのインサートを開示するが、これは以下の欠点を有していた。
（ａ）  インサートは、ロールコアの端の開口部のそれぞれに回転可能に挿入するのにぴったりな直径を有していなければならない。ロールコアの端の開口部の内径がインサートの外径よりも若干小さいだけでも、インサートをロールコアの２つの端にと取りつけることはできない。
（ｂ）  文献の図６に示されたように、インサートがテーパーを有する形態に作られ、それらが他方の内部に一方がはまり、種種の内径を有するロールコアを挿入するのに適するようにすると、インサートはロールコアの末端開口部にはまり、使用者がウエブロールを支持しながら内側に強く押しすぎると、インサートに対するウエブロールの回転を妨害してしまう。この瞬間、重いウエブロールとインサートは、支持している使用者の手に対して回転し、使用者の指を加熱し、損傷する。
（ｃ）理論的にいえば、使用者は２つのインサートのそれぞれの２つの中空キャビティー内に使用者の指を挿入することにより、インサートを手で支持する。しかし、文献の図５に示されたような、インサートの周囲に空間的に、長さ方向に位置する１４ｂ−１から１４ｂ−３の３つのうねりが若干外側に突き出しているので、インサートの壁はロールコアの内側表面と接触してしまう。特に使用者の指がインサートの壁に対して外側に押されると、インサートとロールコアの間の摩擦により、使用者の指を熱くしてしまう。
【０００９】
上記の観点から、従来の技術はロールコアホルダーを開示してはいるが、ロールコア内のどちらかの端で、圧縮弾性物質バイアスによって保持された比較的薄いシリンダー状のハンドルは開示していない。さらにロールコアホルダーがハンドルとして使用され、ロールがホルダー内に挿入された使用者の指により直接指示されている場合、ホルダーの管状の壁とロールコアの内側表面との直接的摩擦接触により使用者の指が熱くなることを防止する方法を従来技術は示唆していない。本発明はこれらの要求を満足し、以下に記載する効果を奏するものである。
【００１０】
【発明の開示】
【課題を解決する手段】
本発明は以下の目的を達成する構造および使用を開示する。
本発明の主な目的は、前記の公知文献には開示されていなかった効果を奏する、ロールコア用の使い捨てハンドルを提供する。
本発明の他の目的は、使用後に捨てることができる、製造コストの非常に安価で効果のあるロールコア用ハンドルを提供することである。
本発明の他の目的は低いコストで製造することのできる使い捨てのロールコア用ハンドルを提供することである。
本発明の他の目的は、ロールコア内に押し込むことができ、ロールコアが回転する間に支持を提供することのできる、使い捨てのロールコア用ハンドルを提供することである。
本発明の他の目的は、平坦な片から作ることができ、使用者がハンドルとして使用するために管状物に巻くことができ、手でフィルムロールを直接支持できる使い捨てのロールコア用ハンドルを提供することである。
本発明の他の目的は、一対の使い捨てのロールコア用ハンドルであって、ロールコアとハンドルとのより滑らかな回転を提供し、それらの間で生ずる摩擦および熱がほとんどないものを提供することである。
本発明の他の目的は、使い捨てのロールコア用ハンドルであって、ロールコアの内側表面と実質的な接触を有し、使用者の指をその上に支持するための内側の指保持部分を提供することにより、使用者の他および指に熱が直接伝わることを防ぐ構造のものを提供することである。
【００１１】
本発明の他の目的は、使い捨てのロールコア用ハンドルであって、ホルダーボディがバネ効果を有するように取り付けられ、フィルムロールの回転の間に生ずる圧力と振動を吸収し、一対の使い捨てハンドルを通してロールコアを保持する使用者の手の指の望まれないけがを避けるものを提供する。
本発明の他の目的は、使い捨てのロールコア用ハンドルであって、たとえば２．９８９インチから３．０６０インチまでの、種種の内径のロールコアにはめることのできるものを提供することである。
本発明の他の目的は、使い捨てのロールコア用ハンドルであって、フィルムロールの回転を妨害することがある、ハンドルのフランジがフィルムロールのそれぞれの端の側面をこすったりひっかいたりすることを防止するものを提供することである。
本発明の他の目的は、使い捨てのロールコア用ハンドルであって、フランジおよびホルダーボディの両方に補強アレンジメントを含み、できるだけ製造コストを低下させるためにハンドルの厚さを最低限にしたものを提供することである。
【００１２】
上記の目的を達成するために、本発明は商業製品のコストを引き上げることなく、出荷されるロール製品との一対の低コストハンドルを提供する。
本発明は、単一または一対の使い捨てのハンドルを提供する。短い長さのロールコアについては、単一のハンドルを使用することができる。長いロールコアについては、一対のハンドルが必要である。それぞれのハンドルは管状の側壁を有するホルダーボディを有し、これはホルダーボディの周囲に空間的に離隔し、長さ方向に配置された複数の側壁アーチ状セグメント（ａｒｃｕａｔｅ  ｓｅｇｍｅｎｔ）と、２つのアーチ状セグメントの間に長さ方向に、内側に伸びた複数のスティッフェニングリブ（ｓｔｉｆｆｅｎｉｎｇ  ｒｉｂ）を有する。ホルダーボディはロールコアの末端に挿入された際にコンプレッシブコンストレイント（ｃｏｍｐｒｅｓｓｉｖｅ  ｃｏｎｓｔｒａｉｎｔ）に適用され、ロールコアを内部からしっかりと保持するための、外側へのバネバイアスたわみ（ｓｐｒｉｎｇ  ｂｉａｓ  ｄｅｆｌｅｃｔｉｏｎ）を提供する。２つのハンドルは、ついでそれぞれロールコアの２つの端に配置される。アーチ状セグメントは軸方向に向けられるか、または円周方向に向けることができる。空間的に離隔し、軸方向に向けられたハンドルのホルダーボディ上に提供されたスティッフェニングリブは、ロールコアとともにハンドルが回転することを防止するために、指の力を加えるために使用される。
ロールコアは１つまたは２つのハンドルで支持され、フィルムロールが静止したハンドルの周りを回転する際に、フィルムロールからフィルムが供給されるようにする。
本発明の他の態様と効果は、本発明の原理を実施態様として示す、以下の詳細な説明、および図から明らかになる。
【００１３】
図面の簡単な説明
添付された図は本発明を示すものである。
図１は、本発明の好ましい態様のロールコア用の使い捨てハンドルの透視図である。
図２は、本発明の上記の好ましい態様の使い捨てハンドルの端面図である。
図３は、本発明の上記の好ましい態様の第一の異なるモードにおける、ロールコア用の使い捨てハンドルの端面図である。
図４および図５は、それぞれ四角および丸型のフランジを有する、本発明の上記の好ましい態様の第二および第三の異なるモードにおける、ロールコア用の使い捨てハンドルの端面図である。
図６は、本発明の上記の好ましい態様の第四の異なるモードにおける、展開された使い捨てハンドルの透視図である。
図７は、図６に示された使い捨てハンドルの端面図であり、使い捨てハンドルがシーム固定具によりシリンダーボディに巻かれたものの端面図である。
図８は、ホルダーボディの側壁を取り囲む円周のセグメントを有する、本発明の第五の好ましい態様における、ロールコア用の使い捨てハンドルの透視図である。
図９は一端に図８に示された使い捨てハンドルが挿入された製品のロールの透視図である。
図１０は、本発明の上記の好ましい実施態様におけるロールコアを支持している際の使い捨てハンドルの断面図である。
図１１は、本発明の上記の好ましい態様の第六の異なるモードにおける、ロールコア用の使い捨てハンドルの透視図である。
図１２は、本発明の上記の好ましい態様の上記の第六の異なるモードにおける、ロールコアを支持している際の使い捨てハンドルの断面図である。
図１３は、本発明の上記の好ましい態様の上記の第六の異なるモードにおける、ロールコアを支持している際の使い捨てハンドルの端面図である。
【００１４】
発明を実施するためのベストモード
上記の図は、本発明の好ましい態様、およびそのいくつかの異なるモードを示すものであり、それは以下の記載によりさらに詳細に示される。
ロールコア５０（本発明の部分ではない）は１つまたは一対のシリンダー状ハンドル１０で支持され、これは好ましくは肉厚の薄いプラスチックで作られる。そのようなロールコアは紙またはプラスチックで作られ、開放端を有する単純な管である。ハンドル１０は射出成形、真空成形、またはスピン成形で作ることができる。それぞれのハンドル１０はインテグラルであり、一体部品であり、中空ホルダーボディ２０を提供し、これはおおむね円状の側壁であり、その上に形成された、並んだ複数の側壁アーチ状セグメント２２を有し、ロールコア５０内にコンプレッシブコンストレイントに適用され、該コンプレッシブコンストレイントから外側へのバネバイアスたわみを導き、これはロールコア５０をその端の１つの内部からしっかりと確保するために使用される。圧縮状態において、アーチ状セグメント２２のそれぞれは曲げられ、アークの小さな湾曲を形成し、それによりホルダーボディ２０の全体の外径を減少させる。２つのハンドル１０はそれぞれロールコア５０の２つの末端内に配置され、ロールコア５０が、ロールコア５０にすでに巻かれているフィルムを引き出すために回転する際に、使用者が両手を用いて握り、ロールコア５０を支持できる。これは図９に最もよく示される。アーチ状セグメント２２は図７に示されるように軸方向に向くことができ、または図８に示されるように円周方向に向いていてもよい。ホルダーボディ２０はさらに複数の空間的に離隔された、軸方向に向いたスティッフェニングリブ４２を有する。
【００１５】
好ましくは、ハンドル１０はさらにインテグラルな、外側に向いたフランジ３０であって、ホルダーボディ２０の近接末端に位置し、好ましくは周縁部のスティッフェニングリップ（ｓｔｉｆｆｅｎｉｎｇ  ｌｉｐ）３２を提供する。このフランジ３０は好ましくは複数の、インテグラルな、空間的に離隔された、コーナーイヤー３４を有し、これは図１ないし３に明確に示されるように、放射状に、外側に伸びている。好ましくは、インテグラルな末端壁（ｉｎｔｅｇｒａｌ  ｅｎｄ  ｗａｌｌ）４０が、ホルダーボディ２０の遠方末端に位置し、完全に閉鎖される（図４）か、または指が通る開口部を有してもよい（図５）。ホルダーボディ２０はシーム２４を有することができ、シームは図６に示されるように展開されることができる。このシームは好ましくは、シーム２４をシールする手段２６、たとえば、図６に示されるように、エンボスされたディンプル２８’および対応する表面デプレッション２８’’などを伴う。ホルダーボディ２０が図７のように巻かれた際には、エンボスされたディンプル２８’は表面デプレッション２８’’中に押し込まれ、シーム２４を確保ないし固定する。
【００１６】
好ましくはホルダーボディ２０の近接部分（ｐｒｏｘｉｍａｌ  ｐｏｒｔｉｏｎ）２１は、概してテーパーを有しないが、ホルダーボディ２０の遠方部分（ｄｉｓｔａｌ  ｐｏｒｔｉｏｎ）２３は内側にテーパーを有する。テーパーを有する遠方部分２３は、ロールコア５０内にスライディングフィット（ｓｌｉｄｉｎｇ  ｆｉｔ）を提供するような寸法にされ、テーパーを有しない近接部分２１はロールコア５０内にコンプレッションフィットを提供する。これを示すために、ある種の標準的なコアロールの内径は、正確に３インチである。これに対応する、ホルダーボディ２０は長さ約３インチである。ホルダーボディ２０の近接部分２１は、好ましくはフランジから軸方向に約１．５インチの距離で測定した直径は３と１／１６インチから３と１／６４インチの間であり、１．５インチより遠方部分については、２と３／４インチまで均一にテーパーされる。他の寸法は、図１から１０に示されるように、ハンドルがロールコア内に容易に滑り込み、その中に確保されることができるようにされる。
【００１７】  
図８に示すように、本発明のデバイスは前述のように円周方向に向いたアーチ型リブ２２を有するホルダーボディ２０を主として含む。このモードにおいては、フランジ３０は複数の小さなタブ３２を有する。ロールコア５０内に挿入された際のホルダーボディ２０の圧縮曲げは、スティッフェニングリブ４２が半径方向の内側に動くときに主として達成される。これはロールコア５２の内面から保持力を与える強いバネ力を引き起こす。
図１１から１３を参照すると、本発明の上記の好ましい実施態様の第六の実施態様による、ロールコア５０のための使い捨てハンドル１０’が示され、ここでハンドル１０’は中空ホルダーボディ２０’および、ホルダーボディ２０’の近接末端から半径方向外側へインテグラルに伸びるフランジ３０を含む。
【００１８】
同様に、ホルダーボディ２０’は射出成形、真空成形、またはスピン成形で作られたおおむね管状の側壁である。中空ホルダーボディ２０’は、近接末端から遠方末端へと伸びるハンドルチャンバー２００’を画定し、さらに複数の並んだアーチ状セグメント側壁２２’、およびホルダーボディ２０’の長さ方向の周囲に形成された複数のスティッフェニングリブ４２’を有し、ここでスティッフェニングリブ４２’は空間的に離隔して配置され、複数のアーチ状セグメント２２’をロールコア５０内にコンプレッシブコンストレイントに適用された、弾力のあるローターサポート２２０’の複数のグループに分ける。
【００１９】
好ましい実施態様によれば、合計６つのスティッフェニングリブ４２’があり、これが１８個のアーチ状セグメント２２’を、等しく空間的に離れ、それぞれが好ましくは３つのアーチ状セグメント２２’を含む、６つの ローターサポート群２２０’にわける。図１３に示すように、６つのローターサポート群２２０’はロールコア５０の内側表面の８０％以上と実質的に接触し、バランスのとれた状態でロールコア５０を良好に支持する。ローターサポート２２０’のそれぞれのグループの３つのアーチ状セグメント２２’は、連続した波状形態で形成され、図１１および１３に示されるように、３つのアーク形状の滑らかで、丸くなったベアリング表面を提供することが強調されるべきである。図１２および１３に示されるように、ハンドル１０’のホルダーボディ２０’がロールコア５０の開放端内にフィットしたとき、アーチ状セグメント２２’のこれらのベアリング表面は、ロールコア５０の内側表面に対して摩擦のない滑らかな接触を提供するポールベアリングのように作用しつつ、アーチ状セグメント２２’の１８個の直線的な接触を介して、実質的にロールコア５０を良好に支持し、ロールコア５０がハンドル１０’の周りを滑らかに回転することを可能にする。
【００２０】
それぞれのスティッフェニングリブ４２’の深さはすべてのアーチ状セグメント２２’の湾曲よりも深くなければならないことは銘記されるべきである。そのような配置は、それぞれのスティッフェニングリブ４２’に、隣接したローターサポート２２０’に対する外側へのバネバイアスたわみ効果を提供するのに有用である。そのようなバネバイアスたわみ効果は、特定のスティッフェニングリブ４２’の両側に位置するローターサポート２２０’の２つのグループを、２つのローターサポート２２０’の間の距離を減少させるように一緒に動くことを可能とし、ホルダーボディ２０’の外径を実質的に減少させ、２．９８９インチから３．０６０インチの間の種種のサイズのロールコア５０にフィットするようにする。ハンドル１０’のホルダーボディ２０’が ロールコア５０の開放端にフィットされた後、スティッフェニングリブ４２’のバネバイアスたわみ効果は、またローターサポート２２０’を互いに離れるように動くことを可能にし、その一端の内側からロールコア５０をグリップするための若干のグリッピング効果を形成する。さらに、圧縮においては、それぞれのアーチ状セグメント２２はさらに曲がり、より小さなアークの湾曲を生じ、それによりホルダーボディ２０の全体としての外径を小さくする。
【００２１】
さらに、本発明のホルダーボディ２０’のバネバイアスたわみ効果は、さらに以下のような予想外の効果を奏する。
（ｉ）  アーチ状セグメント２２’と、スティッフェニング４２’の波打った構造は、ホルダーボディ２０’を半径方向に構造的に強化し、比較的厚さの薄い材料を使用しつつ、ロールコア５０により強い半径方向の支持を提供し、最低限の製造コストを提供し、使用者が使用後にハンドル１０’を廃棄できるようにした。
（ｉｉ）両端で支持されたハンドル１０’に対するロールコア５０の回転の際に生じる振動が、ホルダーボディ２０’のバネバイアスたわみ効果のために吸収され、使用者の手への振動の伝播が防止される。
（ｉｉｉ）バネバイアスたわみ効果はまた、ホルダーボディ２０’にロールコア５０からの圧力を吸収させ、特にロールコア５０の回転の間に吸収させ、使用者の手の関節部の、望ましくない損傷を防止する。
【００２２】
使用者がフィルムを引っ張り、フィルムロール５１を回転するるときに、不均一な引っ張り力がロールコア５０を、使用者の手に対して、上下または左右に振動させることについても説明の要がある。ロールコア５０の振動力は、それぞれのローターサポート２２０’が互いに動くことにより、バネバイアスたわみ効果により実質的に吸収され、使用者の手にほとんど振動や衝撃が伝わらない。
【００２３】
上記の好ましい実施態様および第一から第五の実施態様のように、ホルダーボディ２０’は、フランジ３０’からホルダーボディ２０’の中央部分へと長さ方向に伸びる近接部分２１’と、近接部分２１’からホルダーボディ２０’の末端壁４０’へと長さ方向に伸び、支持部分を形成する遠方部分２３’とを有する。近接した支持部分２１’は一般にテーパーを有さず、アーチ状セグメント２２’はホルダーボディ２０’の軸と平行に長さ方向に伸び、図１０，１２および１３に示すように、ホルダーボディ２０’のローターサポート２２０’のアーチ状セグメント２２’のベアリング表面は、ロールコア５０の内側表面と滑らかな線接触をし、滑らかな回転と、周囲全体の均一な良好な支持を提供する。
【００２４】
同様に、テーパーを有しない近接部分２１’は、ロールコア５０内にコンプレッションフィットを提供する。たとえば、ある標準的なコアロールの内径が正確に３インチだとする。対応してホルダーボディ２０’はほぼ長さ３インチである。ホルダーボディ２０’の近接部分２１’は、軸方向にフランジ３０’から１．５インチまでの距離での測定された直径が、好ましくは若干大きく、たとえば３と１／１６インチないし３と１／６４の間で作られる。
別法として、図１０に示されたようなテーパーを有する遠方部分２３を有する代わりに、好ましい実施態様の第六の異なるモードの遠方部分２３’のその外径が等しく減少し、指支持部分および遠方の指支持部分２３’を形成する。たとえば、１．５インチの長さを有する遠方部分２３’は、好ましくは２と３／４インチの均一な外径を有する。
【００２５】  
したがって、遠方の指ホルダー部分２３’はロールコア５０の直径よりも小さな内径を有し、円周のエアーギャップが遠方の指ホルダー部分２３’の周囲に画定され、クッション効果を奏し、図１２に示されるように、ロールコア５０がその両端で支持されたハンドル１０’に対して回転する間、遠方部分２３’がロールコア５０の内側表面と実質的な接触を有さないようにする。そのため、使用者の指先はホルダーボディ２０’の内側の遠方の指支持部分２３’におくことができ、手がハンドル１０’とロールコア５０を支持する際に、使用者の指への熱伝導を防止し、したがって指が熱くなることを防止する。さらに、遠方の指ホルダー部分２３’は使用者の指の強さのバランスを取り、ホルダーボディ２０’が均一に押され、支持されることができる。
【００２６】
図１１ないし１３に示すように、ハンドル１０’のフランジ３０’は、インテグラルであり、ホルダーボディ２０’の近接末端の周囲に位置する、外側に伸びた周縁部の壁である。フランジは好ましくは周縁部のスティッフェニングリップ３２’と複数の空間的に離隔されたインテグラルなコーナーイヤー３４’を提供し、これは図１１および１３に示されたように、スティッフェニングリップ３２の４つの角から半径方向に外側に伸びている。インテグラルな末端壁４０もホルダーボディ２０の遠方末端に位置する。
【００２７】
上記の実施態様およびその異なるモードと同様に、それぞれのコーナーイヤー３４’は、コーナーイヤー３４’を強化するためにその上に内側に突き出したインデンションボタン（ｉｎｄｅｎｔｉｏｎ  ｂｕｔｔｏｎ）３４１’を有する。 さらに、そのようなインデンションボタンがフィルムロール５１および／またはロールコア５０の末端面に対してバイアスである場合、ホルダーボディ２０’がロールコア５０の開放端内に入り込みすぎることを防止し、ロールコア５０の滑らかな回転を保証し、ロールコア５０の回転を阻止することがあるスティッフェニングリップ３２’のフィルムロール５１とのかみ合いを防止する。
【００２８】          
スティッフェニング３２’の上に、複数のインデンティドチップ３２１’が、離れて配置され、それはスティッフェニングリップ３２’を強化するだけではなく、ロールコア５０に対しておおむねバイアスに配置され、ロールコア５０のハンドル１０’に対する滑らかな回転を保証し、ホルダーボディ２０’がロールコア５０の開放端内に過剰に挿入されることを防止する。
【００２９】
２つのクローノッチ３４２’は、それぞれのコーナーイヤー３４’の両側に形成され、使用者がロールコア５０を回転可能に支持するためにハンドルを手で支持する場合、使用者の親指がそれぞれのクローノッチ３４２’の上に置かれ、ハンドル１０’を、ロールコア５０に対して回転させる際にしっかりと握り、保持することを保証する。
【００３０】  
上記の観点から、ハンドル１０、１０’はスピニングまたはロールコア５０を指との接触がなく保持することを可能とし、摩擦による過熱を防止することができる。スティッフェニングリブ４２および４２’のアーチ状セグメント２２，２２’の間の配置により、アーチ状セグメント２２，２２’はバネのような動作を提供し、手に他の方法で伝わる振動力を吸収する。本発明の構造において使用される低摩擦材料は、ロールコア５０を回転する際に滑らすことを可能とし、さらにロールコア５０をしっかりと保持することも可能とする。
【００３１】
本発明は好ましくは重量が軽く、そのためハンドル１０、１０’を使用しても合計重量はあまり変化しない。ハンドル１０のホルダーボディ２０、２０’は約０．０５０インチ以下の厚さである。ハンドル１０，１０’のコストは小さく、使用後に廃棄することができ、そのためハンドル１０は使い捨てのハンドルである。フランジはロールコア５０に対してブレーキとして使用することができ、また指を加熱から保護する。  
【００３２】
本発明を好ましい実施態様を参照しつつ説明してきたが、当業者には、本発明がそれらに限定されるものではないことは明らかであろう。本発明の範囲は特許請求の範囲の記載に基づいて理解されるべきものである。
【図面の簡単な説明】
【００３３】
【図１】
図１は、本発明の好ましい態様のロールコア用の使い捨てハンドルの透視図である。
【図２】
図２は、本発明の好ましい態様の使い捨てハンドルの端面図である。
【図３】
図３は、本発明の上記の好ましい態様の第一の異なるモードにおける、ロールコア用の使い捨てハンドルの端面図である。
【図４】
図４は四角のフランジを有する、本発明の上記の好ましい態様における、ロールコア用の使い捨てハンドルの端面図である。
【図５】
図５は、丸型のフランジを有する、本発明の上記の好ましい態様における、ロールコア用の使い捨てハンドルの端面図である。
【図６】
図６は、本発明の上記の好ましい態様の、展開された使い捨てハンドルの透視図である。
【図７】
図７は、図６に示された使い捨てハンドルの端面図である。
【図８】
図８は、本発明の第五の好ましい態様における、ロールコア用の使い捨てハンドルの透視図である。
【図９】
図９は一端に図８に示された使い捨てハンドルが挿入された製品のロールの透視図である。
【図１０】
図１０は、本発明の上記の好ましい実施態様におけるロールコアを支持している際の使い捨てハンドルの断面図である。
【図１１】
図１１は、本発明の上記の好ましい態様の第六の異なるモードにおける、ロールコア用の使い捨てハンドルの透視図である。
【図１２】
図１２は、本発明の上記の好ましい態様の上記の第六の異なるモードにおける、ロールコアを支持している際の使い捨てハンドルの断面図である。
【図１３】
図１３は、本発明の上記の好ましい態様の上記の第六の異なるモードにおける、ロールコアを支持している際の使い捨てハンドルの端面図である。
【国際調査報告】
2005518319.tif 000016
2005518319.tif 000017